【手続補正書】
【提出日】平成17年10月5日(2005.10.5)
【手続補正１】
【補正対象書類名】明細書
【補正対象項目名】特許請求の範囲
【補正方法】変更
【補正の内容】
【特許請求の範囲】
【請求項１】  検出対象を検出する検出手段と；
検出手段の信号に基づき制御対象を制御する制御部と；
操作手段を備えたスイッチ部と；
制御部の動作を設定する設定部と；
信号が入力された際に、制御対象を所定の状態とするとともに、所定時間は制御対象を所定の状態に保持する強制信号入力部と；
を具備していることを特徴とするセンサ装置。
【請求項２】  遠隔操作手段からの信号を受信する受信部を備えた
ことを特徴とする請求項１記載のセンサ装置。
【請求項３】  制御部の動作の設定は、遠隔操作手段の設定よりも操作手段の設定が優先される
ことを特徴とする請求項２記載のセンサ装置。
【請求項４】  制御部の設定状態を遠隔操作手段へ送信する送信部を備えた
ことを特徴とする請求項２または３記載のセンサ装置。
【請求項５】  遠隔操作手段の操作による設定が実行された場合に、設定状態を遠隔操作手段に送信し、スイッチ部の設定が優先され遠隔操作手段の操作による設定が実行されなかった場合には、設定が実行されなかった旨及び設定状態を遠隔操作手段に送信する
ことを特徴とする請求項４記載のセンサ装置。
【請求項６】  制御部は、制御対象の動作を直接的に制御する直接制御手段と、外部に設ける直接制御手段を制御可能な制御信号出力部を備えた
ことを特徴とする請求項１ないし５いずれか一記載のセンサ装置。
【請求項７】  請求項１ないし６いずれか一記載のセンサ装置と；
センサ装置に接続された照明器具と；
センサ装置に信号を送信する遠隔操作手段と；
を具備していることを特徴とする照明システム。
【手続補正２】
【補正対象書類名】明細書
【補正対象項目名】０００８
【補正方法】変更
【補正の内容】
【０００８】
【課題を解決するための手段】
請求項１記載のセンサ装置は、検出対象を検出する検出手段と；検出手段の信号に基づき制御対象を制御する制御部と；操作手段を備えたスイッチ部と；制御部の動作を設定する設定部と；信号が入力された際に、制御対象を所定の状態とするとともに、所定時間は制御対象を所定の状態に保持する強制信号入力部と；を具備しているものである。
【手続補正３】
【補正対象書類名】明細書
【補正対象項目名】０００９
【補正方法】変更
【補正の内容】
【０００９】
そして、この構成では、強制信号入力部に信号を入力することにより、検出手段の動作に関わらず所定時間は制御対象を所定の状態に保持することが可能になり、所定時間の経過後は、検出手段の動作に従い制御対象を制御することが可能になるので、操作性を向上しつつ省エネルギーが実現される。
【手続補正４】
【補正対象書類名】明細書
【補正対象項目名】００１１
【補正方法】変更
【補正の内容】
【００１１】
なお、強制信号入力部に入力される信号は、無電圧接点信号を含むものである。
【手続補正５】
【補正対象書類名】明細書
【補正対象項目名】００１２
【補正方法】変更
【補正の内容】
【００１２】
請求項２記載のセンサ装置は、請求項１記載のセンサ装置において、遠隔操作手段からの信号を受信する受信部を備えたものである。
【手続補正６】
【補正対象書類名】明細書
【補正対象項目名】００１３
【補正方法】変更
【補正の内容】
【００１３】
そして、この構成では、操作者は、遠隔操作手段の操作とスイッチ部の操作手段の操作との両者から制御部の動作を設定可能であり、遠隔操作手段を用いることにより、操作性良く詳細な設定が可能になる。また、遠隔操作手段を用いずスイッチ部の操作手段の操作によることにより、設備に要するコストが低減される。
【手続補正７】
【補正対象書類名】明細書
【補正対象項目名】００１４
【補正方法】変更
【補正の内容】
【００１４】
請求項３記載のセンサ装置は、請求項２記載のセンサ装置において、制御部の動作の設定は、遠隔操作手段の設定よりも操作手段の設定が優先されるものである。
【手続補正８】
【補正対象書類名】明細書
【補正対象項目名】００１５
【補正方法】変更
【補正の内容】
【００１５】
そして、この構成では、制御部の設定状態が容易に確実に設定される。
【手続補正９】
【補正対象書類名】明細書
【補正対象項目名】００１６
【補正方法】変更
【補正の内容】
【００１６】
請求項４記載のセンサ装置は、請求項２または３記載のセンサ装置において、制御部の設定状態を遠隔操作手段へ送信する送信部を備えたものである。
【手続補正１０】
【補正対象書類名】明細書
【補正対象項目名】００１７
【補正方法】変更
【補正の内容】
【００１７】
そして、この構成では、遠隔操作手段により制御部の設定状態が容易に確認される。
【手続補正１１】
【補正対象書類名】明細書
【補正対象項目名】００１８
【補正方法】変更
【補正の内容】
【００１８】
請求項５記載のセンサ装置は、請求項４記載のセンサ装置において、遠隔操作手段の操作による設定が実行された場合に、設定状態を遠隔操作手段に送信し、スイッチ部の設定が優先され遠隔操作手段の操作による設定が実行されなかった場合には、設定が実行されなかった旨及び設定状態を遠隔操作手段に送信するものである。
【手続補正１２】
【補正対象書類名】明細書
【補正対象項目名】００１９
【補正方法】変更
【補正の内容】
【００１９】
そして、この構成では、遠隔操作手段による設定時に、設定が実行されたか否か及び設定の内容が容易に確実に確認される。
【手続補正１３】
【補正対象書類名】明細書
【補正対象項目名】００５３
【補正方法】変更
【補正の内容】
【００５３】
【発明の効果】
請求項１記載のセンサ装置によれば、信号が入力された際に、制御対象を所定の状態とするとともに、所定時間は制御対象を所定の状態に保持する強制信号入力部を備えたため、強制信号入力部に信号を入力することにより、検出手段の動作に関わらず所定時間は制御対象を所定の状態に保持することが可能になり、所定時間の経過後は、検出手段の動作に従い制御対象を制御することが可能になるため、操作性を向上しつつ省エネルギーを実現できる。
【手続補正１４】
【補正対象書類名】明細書
【補正対象項目名】００５４
【補正方法】変更
【補正の内容】
【００５４】
請求項２記載のセンサ装置によれば、請求項１記載の効果に加え、操作者は、遠隔操作手段の操作とスイッチ部の操作手段の操作との両者から制御部の動作を設定でき、遠隔操作手段を用いることにより、操作性良く詳細に設定でき、また、遠隔操作手段を用いずスイッチ部の操作手段の操作によることにより、設備に要するコストを低減できる。
【手続補正１５】
【補正対象書類名】明細書
【補正対象項目名】００５５
【補正方法】変更
【補正の内容】
【００５５】
請求項３記載のセンサ装置によれば、請求項２記載の効果に加え、制御部の動作の設定は、遠隔操作手段の設定よりも操作手段の設定が優先されるため、制御部の設定状態を容易に確実に設定できる。
【手続補正１６】
【補正対象書類名】明細書
【補正対象項目名】００５６
【補正方法】変更
【補正の内容】
【００５６】
請求項４記載のセンサ装置によれば、請求項２または３記載の効果に加え、制御部の設定状態を遠隔操作手段へ送信する送信部を備えたため、遠隔操作手段により制御部の設定状態が容易に確認される。
【手続補正１７】
【補正対象書類名】明細書
【補正対象項目名】００５７
【補正方法】変更
【補正の内容】
【００５７】
請求項５記載のセンサ装置によれば、請求項４記載の効果に加え、遠隔操作手段の操作による設定が実行された場合に、設定状態を遠隔操作手段に送信し、スイッチ部の設定が優先され遠隔操作手段の操作による設定が実行されなかった場合には、設定が実行されなかった旨及び設定状態を遠隔操作手段に送信するため、遠隔操作手段による設定時に、設定が実行されたか否か及び設定の内容を容易に確実に確認できる。